(57)【特許請求の範囲】
【請求項１】
左右方向にスライドすることにより開口部を開閉する引戸を有し、この引戸が前記開口部から前記引戸の厚さ方向にずれた位置に配置されている引戸装置において、
前記引戸の引戸本体の下部には、床に配置されているガイドレールの溝部に転動自在に係合した戸車が設けられており、
前記引戸がこの引戸の厚さ方向に振れることを防止するための振れ止め手段を備え、この振れ止め手段は、前記引戸がこの引戸の厚さ方向に外れることを防止するための外れ止め手段を兼ねており、
前記振れ止め手段は、前記開口部の上縁部を形成する上枠であってこの上枠から前記引戸の厚さ方向にずれた前記引戸の配置側の部分のうち、前記引戸の戸先側の部分と戸尻側の部分に取り付けられたブラケットにそれぞれ配置されていて、上下方向の突出量を有する突部と、前記引戸の前記上辺部に配置されている上枠部材に、前記引戸の幅方向全長又は略全長に渡って設けられていて、前記突部が内部にスライド自在に嵌合する溝部と、を含んで構成されており、前記突部と前記溝部とが前記引戸の厚さ方向において接触していることを特徴とする引戸装置。
【請求項２】
請求項１に記載の引戸装置において、前記ブラケットは、板材の折り曲げにより形成されていて、水平に延びる水平部と、この水平部から垂下する垂下部と、を有し、この垂下部は、前記上枠の前記引戸の厚さ方向の両面部のうち、前記引戸の配置側の面部に取り付けられ、前記突部は、前記水平部の下面から下向きに突出していることを特徴とする引戸装置。
【請求項３】
請求項１又は２に記載の引戸装置において、前記突部は、円柱状又は円筒状となっていることを特徴とする引戸装置。
【請求項４】
請求項１〜３のいずれかに記載の引戸装置において、前記上枠部材は、上端部に、前記引戸の厚さ方向に互いに近づく方向に延出した一対のリップ部が設けられたリップ部付きチャンネル状部材となっており、前記溝部は、一対の前記リップ部の隙間であり、この隙間の幅寸法は、前記突部における前記引戸の厚さ方向の幅寸法と同じ又は略同じとなっていることを特徴とする引戸装置。
【請求項５】
請求項４に記載の引戸装置において、一対の前記リップ部は、上下方向に離間して複数形成されていることを特徴とする引戸装置。
【請求項６】
請求項４又は５に記載の引戸装置において、前記引戸が全閉位置から全開位置まで左右方向にスライド移動する間、一対の前記リップ部の前記隙間に、前記上枠に取り付けられた左右の前記ブラケットにそれぞれ配置された前記突部の少なくとも一方が、スライド自在に嵌合することを特徴とする引戸装置。
【請求項７】
請求項１〜６のいずれかに記載の引戸装置において、前記床における前記ガイドレールの戸先側と戸尻側には、戸当たり部材が配置されていることを特徴とする引戸装置。
【請求項８】
請求項７に記載の引戸装置において、前記戸当たり部材は、前記床に接着テープで固定されていることを特徴とする引戸装置。
【請求項９】
請求項１〜８のいずれかに記載の引戸装置において、前記ガイドレールは、前記床に接着テープで固定されていることを特徴とする引戸装置。
【請求項１０】
開口部を開閉するためのヒンジを中心に回動自在な開き戸を有する開き戸装置を引戸装置に改修するための引戸装置の改修方法であって、
前記開き戸装置は、前記開き戸であるドアと、前記開口部を内側に形成しているドア枠と、このドア枠に前記ドアを取り付けているヒンジと、を有するドア装置であり、
前記引戸装置が有する引戸は、前記ドアの少なくとも一部を利用したものとなっており、前記引戸の引戸本体の下部には、床に配置されているガイドレールの溝部に転動自在に係合した戸車が設けられており、
前記引戸装置には、前記引戸がこの引戸の厚さ方向に振れることを防止するための振れ止め手段を備え、この振れ止め手段は、前記引戸がこの引戸の厚さ方向に外れることを防止するための外れ止め手段を兼ねており、
前記振れ止め手段は、前記ドア枠のうち、前記開口部の上縁部を形成する上枠であってこの上枠から前記引戸の厚さ方向にずれた前記引戸の配置側の部分のうち、前記引戸の戸先側の部分と戸尻側の部分に取り付けられたブラケットにそれぞれ配置されていて、上下方向の突出量を有する突部と、前記引戸の前記上辺部に配置されている上枠部材に、前記引戸の幅方向全長又は略全長に渡って設けられていて、前記突部が内部にスライド自在に嵌合する溝部と、を含んで構成されており、前記突部と前記溝部とが前記引戸の厚さ方向において接触しており、
前記ドア装置のうち、前記ヒンジを前記ドア及び前記ドア枠から取り外す第１作業工程と、
取り外した前記ドアからドアノブ及び施錠装置を取り外す第２作業工程と、
前記引戸本体として利用される前記ドアに、取っ手、前記上枠部材、下枠部材、側枠部材及び前記戸車を取り付ける第３作業工程と、
前記ガイドレールを前記床に配置する第４作業工程と、
前記突部を有する前記ブラケットを前記上枠に取り付ける第５作業工程と、
前記戸車を前記ガイドレールの前記溝部に係合させるとともに、前記上枠部材に形成された前記溝部に、前記上枠に取り付けた前記ブラケットの前記突部をスライド自在に嵌合させる第６作業工程と、
を含むことを特徴とする引戸装置の改修方法。
【請求項１１】
請求項１０に記載の引戸装置の改修方法において、前記第６作業工程の後、前記床における前記ガイドレールの戸先側と戸尻側に、戸当たり部材を配置する第７作業工程を含むことを特徴とする引戸装置の改修方法。
【請求項１２】
請求項１１に記載の引戸装置の改修方法において、前記第７作業工程では、前記戸当たり部材は、前記床に接着テープで固定することを特徴とする引戸装置の改修方法。
【請求項１３】
請求項１０〜１２のいずれかに記載の引戸装置の改修方法において、前記第４作業工程では、前記ガイドレールは、前記床に接着テープで固定することを特徴とする引戸装置の改修方法。
【請求項１４】
請求項１０〜１３のいずれかに記載の引戸装置の改修方法において、前記ドア装置の戸当たり部材を取り外す第８作業工程を含むことを特徴とする引戸装置の改修方法。
【発明の詳細な説明】
【技術分野】
【０００１】
本発明は、改修された引戸装置及び引戸装置の改修方法に係り、例えば、壁に形成された開口部を開閉するための開き戸装置を引戸装置に改修する際などに利用できるものである。
【背景技術】
【０００２】
近年、住宅内部の開口部である出入口を開閉している室内ドア、すなわち、開き戸を、使い勝手の良い引戸に改修（言い換えると、リフォーム）するニーズがある。
【０００３】
下記の特許文献１の図１〜図３には、壁１に形成された開口部７を開閉するための開閉装置である開き戸装置８が示されており、開口部７は、この開き戸装置８のヒンジ１０を中心に回動する開き戸９により開閉される。
【０００４】
この特許文献１では、開き戸装置８は、改修作業（リフォーム作業）により、図６〜図９に示されている開閉装置である引戸装置２０に改修され、開口部７は、この引戸装置２０が有する左右方向にスライドする引戸２１により開閉されるようになっており、この引戸２１は、開口部７から引戸２１の厚さ方向にずれた位置に配置されている。
【０００５】
このように、特許文献１で示されている引戸装置２０は、左右方向にスライドすることにより開口部７を開閉する引戸２１を有し、この引戸２１が開口部７から引戸２１の厚さ方向にずれた位置に配置されている改修された引戸装置となっている。
【先行技術文献】
【特許文献】
【０００６】
【特許文献１】特開２００２−１４７１２１号公報
【発明の概要】
【発明が解決しようとする課題】
【０００７】
ところで、開き戸装置を引戸装置に改修するためには、既設の開き戸装置の代わりとなる引戸装置を新たに製造、施工することになり、このため、開き戸装置を引戸装置に改修するためには、多大なコストが掛かっていた。
【０００８】
このため、開き戸装置から引戸装置への改修コストを削減するための工夫が求められている。
【０００９】
本発明の目的は、改修コストの削減化が図れるようになる改修された引戸装置及び引戸装置の改修方法を提供するところにある。
【課題を解決するための手段】
【００１０】
本発明に係る改修された引戸装置は、左右方向にスライドすることにより開口部を開閉する引戸を有し、この引戸が前記開口部から前記引戸の厚さ方向にずれた位置に配置されている改修された引戸装置において、前記引戸が、ヒンジを中心に回動することにより開口部を開閉する開き戸装置の開き戸の少なくとも一部を利用したものとなっていることを特徴とするものである。
【００１１】
本発明では、改修された引戸装置が有する引戸は、上述したように、ヒンジを中心に回動することにより開口部を開閉する開き戸装置の開き戸の少なくとも一部を利用したものとなっている。
【００１２】
すなわち、本発明に係る改修された引戸装置の引戸は、この引戸装置用に新たに製造、施工されたものを使用したものではなく、既設の開き戸装置の開き戸の少なくとも一部を利用したものとなっている。
【００１３】
このため、本発明によると、改修された引戸装置の引戸に掛かるコストを、この引戸をこの引戸装置用に新たに製造、施工されたものを使用するものとした場合と比較して、削減化することができるようになる。
【００１４】
このように、本発明によると、開き戸装置を引戸装置に改修するために掛かるコスト、すなわち、改修コストの削減化が図れるようになる。
【００１５】
本発明において、改修作業により開口部を開閉することになる引戸として利用されるのは、上述したように「開口部を開閉する開き戸装置の開き戸の少なくとも一部」である。
【００１６】
ここで、「前記開口部を開閉する」ではなく「開口部を開閉する」とあるのは、改修作業により開口部を開閉することになる引戸は、改修される前にこの開口部を開閉していた開き戸装置の開き戸の少なくとも一部を利用したものとなっていてもよく、引戸により開閉されることになる開口部とは別の開口部を開閉していた開き戸装置の開き戸の少なくとも一部を利用したものとなっていてもよいという意味である。
【００１７】
すなわち、引戸は、後者の場合のように、別の場所に設置されていた開き戸装置の開き戸の少なくとも一部を利用したものとなっていてもよい。
【００１８】
本発明において、引戸がこの引戸の厚さ方向に外れることを防止するための外れ止め手段を備えていることが好ましい。
【００１９】
また、本発明において、引戸がこの引戸の厚さ方向に振れることを防止するための振れ止め手段を備えていることが好ましい。
【００２０】
この場合において、振れ止め手段は、上述した外れ止め手段を兼ねているものとしてもよく、上述した外れ止め手段とは別体のものとしてもよい。
【００２１】
前者の場合によると、引戸装置の部品点数を後者の場合と比較してより少なくすることができ、これにより、引戸装置の改修コストのさらなる削減化を図ることができるようになる。
【００２２】
また、前者の場合において、振れ止め手段の形式、構造は任意なものでよく、その一例として、引戸により開閉される開口部の上縁部であって、この上縁部から引戸の厚さ方向にずれた引戸の配置側の部分と、引戸の上辺部（上面部及び／又はその近傍をいう。以下同じ）とのうち、一方に設けられ、上下方向の突出量を有する突部と、他方に設けられていて、前記突部が内部にスライド自在に嵌合する左右方向（言い換えると、引戸の移動方向）への長さを有する溝部と、を含んで構成されており、前記突部と前記溝部とが引戸の厚さ方向において接触しているものを挙げることができる。
【００２３】
この例では、突部が溝部の内部にスライド自在に嵌合していることにより、引戸がこの引戸の厚さ方向に外れることが防止され、また、突部と溝部とが引戸の厚さ方向において接触していることにより、引戸がこの引戸の厚さ方向に振れる（言い換えると、がたつく）ことが防止されようになる。
【００２４】
上述した振れ止め手段の一例のより具体的なものとして、突部が、引戸により開閉される開口部の上縁部であって、この上縁部から引戸の厚さ方向にずれた引戸の配置側の部分のうち、少なくとも引戸の戸先側の部分と戸尻側の部分とに設けられており、溝部が、引戸の上辺部にこの引戸の幅方向全長又は略全長に渡って設けられているものを挙げることができる。
【００２５】
なお、上述した具体例において、溝部は、引戸の上辺部に配置されている上枠部材に形成されているものでもよく、引戸の上辺部に形成されているものでよい。
【００２６】
ここで、上述した上枠部材の形式、構造は任意なものでよく、例えば、上枠部材は、上端部に、引戸の厚さ方向に互いに近づく方向に延出した一対のリップ部（言い換えると、フィン部あるいは突片部）が設けられたリップ部付きチャンネル状部材となっており、溝部は、一対のリップ部の隙間であり、この隙間の幅寸法は、突部における引戸の厚さ方向の幅寸法と同じ又は略同じとなっているものとしてもよい。
【００２７】
なお、一対のリップ部は、上下方向に離間して複数形成されているものとしてもよく、しなくてもよい。
【００２８】
本発明に係る引戸装置の改修方法は、開口部を開閉するためのヒンジを中心に回動自在な開き戸を有する開き戸装置の前記開き戸を取り外すための作業工程と、取り外した前記開き戸の少なくとも一部を、前記開口部を開閉するための左右方向にスライド自在となった引戸に改修するための作業工程と、改修した前記引戸を前記開口部からこの引戸の厚さ方向にずれた位置に配置するための作業工程と、を含むことを特徴とするものである。
【００２９】
本発明では、引戸装置が有する引戸は、上述したように、開口部を開閉するためのヒンジを中心に回動自在な開き戸装置の開き戸の少なくとも一部を利用したものとなっている。
【００３０】
すなわち、本発明に係る引戸装置の改修方法は、この引戸装置用の引戸を工場で新たに製造、施工する作業工程と、この製造、施工された引戸を工場から現場まで搬入する作業工程は不要となり、改修作業の大部分は現場で行うことができるようになる。
【００３１】
このため、本発明によると、引戸装置の改修作業に掛かるコストを、引戸をこの引戸装置用に新たに製造、施工されたものを使用するものとした場合と比較して、削減化することができるようになる。
【００３２】
このように、本発明によると、開き戸装置の引戸装置への改修作業に掛かるコスト、すなわち、改修コストの削減化が図れるようになる。
【００３３】
以上説明した本発明は、任意な開き戸装置（言い換えると、扉体（ドア）装置）に適用することができ、任意なものでよく、その一例は、防音ドア装置や防火ドア装置等を含む室内ドア装置であり、他の例は、玄関ドア装置である。また、これらのドア装置は、建物に設置されるものでもよく、地下街、自動車、電車車両、船舶等の建物以外の構造物に設置されるものでもよい。
【００３４】
また、以上説明した本発明は、任意な引戸装置に適用することができ、この引戸装置は、引戸が、ガイド部材に転動自在に係合したローラが引戸本体の下部に設けられているものでもよく、あるいは、引戸が、ガイド部材に転動自在に係合したローラが上部に設けられていて、このローラよりも下部の引戸本体がガイド部材から吊り下げられた上吊り式の引戸となっているものでもよい。
【発明の効果】
【００３５】
本発明によると、開き戸装置の引戸装置への改修コストを削減できるようになるという効果を得られる。
【図面の簡単な説明】
【００３６】
【図１】図１は、本発明の一実施形態に係る引戸装置に改修される前の開き戸装置である室内ドア装置の全体を示す正面図である。
【図２】図２は、図１のＳ２−Ｓ２線断面である。
【図３】図３は、図１のＳ３−Ｓ３線断面図である。
【図４】図４は、図１〜図３で示されている室内ドア装置から改修された本発明の一実施形態に係る引戸装置の全体を示す平面図であり、この引戸装置の引戸が全閉位置に達したときを示す図である。
【図５】図５は、図４で示されている引戸が全開位置に達したときを示す図である。
【図６】図６は、図４のＳ６−Ｓ６線断面図である。
【図７】図７は、図５のＳ７−Ｓ７線断面図である。
【図８】図８は、図４のＳ８−Ｓ８線断面図である。
【図９】図９は、図６及び図７で示されている引戸の拡大図である。
【図１０】図１０は、図８で示されている引戸の上部の拡大図である。
【図１１】図１１は、図８で示されている引戸の下部の拡大図である。
【図１２】図１２は、図１１で示されている引戸の底面部の拡大図である。
【図１３】図１３は、図１１で示されている引戸の底面部に配置されている戸車単独の正面図である。
【図１４】図１４は、図５で示されている引戸装置の上部の拡大図である。
【図１５】図１５は、振れ止め手段を構成する第１部材となっている突部を有するブラケットの側面図である。
【図１６】図１６は、振れ止め手段を構成する第１部材となっている突部を有するブラケットの側面図である。
【発明を実施するための形態】
【００３７】
以下に本発明を実施するための形態を図面に基づいて説明する。図１には、本発明の一実施形態に係る引戸装置に改修される前の開き戸装置である室内ドア装置１の全体を示す正面図が示されている。このドア装置１は、開き戸であるドア２と、このドア２により開閉される部屋の出入口である開口部１０を内側に形成しているドア枠（言い換えると、枠組み体）１１と、このドア枠１１にドア２を取り付けている上下２個のヒンジ（言い換えると、蝶番）５，６とが主要部材となって構成されている。
【００３８】
図１及びこの図１のＳ２−Ｓ２線断面図である図２から分かるように、本実施形態では、ヒンジ５，６を中心にドア２は回動自在となっていて、ドア２により壁９に形成された開口部１０は開閉される。
【００３９】
また、図１に示されているように、ドア２には、このドア２を室内側から施錠するための施錠装置４が取り付けられており、さらに、図１、図２及び図１のＳ３−Ｓ３線断面図である図３から分かるように、ドア２には、把持部材であるドアノブ３も取り付けられている。
【００４０】
本実施形態に係るドア枠１１は、上枠１２と、左右の縦枠１３，１４とからなる三方枠であり、ドア２は、ヒンジ５，６により左右の縦枠１３，１４のうちの一方の縦枠１４に取り付けられている。ヒンジ５，６は、ドア２側の羽根板５Ａ，６Ａと、縦枠１４側の羽根板５Ｂ，６Ｂと、これらの羽根板の基部同士を回動自在に連結し、上下方向が軸方向となっている図示されないピンとからなり、このピンは、本実施形態では、図１で示されているドア２の室外側に配置されている。
【００４１】
なお、図１〜図３から分かるように、ドア枠１１の内側面部には戸当たり部材７が、上枠１２の内側面部には戸当たり部材７Ａが、左右の縦枠１３，１４の内側面部には戸当たり部材７Ｂ，７Ｃが、それぞれ配置されている。
【００４２】
本実施形態では、上枠１２は、開口部１０の上縁部を形成し、左右の縦枠１３，１４のうち、左側（言い換えると、戸先側）の縦枠１３は、開口部１０の左縁部（言い換えると、戸先側の側縁部）を形成し、右側（言い換えると、戸尻側）の縦枠１４は、開口部１０の右縁部（言い換えると、戸尻側の側縁部）を形成するものとなっている。
【００４３】
図４及び図５には、図１〜図３で示されているドア装置１を改修することにより、開口部１０に設置された本発明の一実施形態に係る改修された引戸装置２１の全体を示す正面図が示されており、図４は、引戸装置２１の左右方向にスライド自在となっている引戸２２が全閉位置に達したときを示す図であり、図５は、図４で示されている引戸２２が矢印Ａ方向（開き移動方向）にスライドされて全開位置に達したときを示す図である。
【００４４】
なお、本実施形態では、図４及び図５から分かるように、ドア装置１を引戸装置２１に改修するにあたって、このドア装置１のドア枠１１はそのまま残すものとなっている。また、図４及び図５では示されていないが、本実施形態では、ドア装置１の戸当たり部材７（図２及び図３参照）もそのまま残すものとなっている。
【００４５】
以下、本実施形態に係る引戸装置２１の構造について説明する。
【００４６】
本実施形態では、引戸装置２１の引戸２２の引戸本体２は、この引戸装置２１に改修される前に開口部１０に設置されていた前述の図１〜図３で示す開き戸装置であるドア装置１の開き戸であるドア２をそのまま利用したものとなっている。なお、ドア２に取り付けられていたドアノブ３、施錠装置４及びヒンジ５，６は、改修作業の際に取り外されるものとなっている。
【００４７】
図６は、図４のＳ６−Ｓ６線断面図であり、図７は、図５のＳ７−Ｓ７線断面図であり、図８は、図４のＳ８−Ｓ８線断面図である。また、図９は、図６及び図７で示されている引戸２２の拡大図であり、図１０は、図８で示されている引戸２２の上部の拡大図であり、図１１は、図８で示されている引戸２２の下部の拡大図である。
【００４８】
図４〜図９に示されているように、引戸本体２には、把持部材である取っ手３１が取り付けられており、この取っ手３１の取付位置は、前述したドア装置１のドアノブ３と施錠装置４の取付位置と対応する位置となっており、また、この取っ手３１は、改修作業によりドア２から取り外されたドアノブ３と施錠装置４の取付跡を覆う（言い換えると隠す）長さ寸法及び幅寸法を有するものとなっている。
【００４９】
図６〜図８に示されているように、引戸２２は、開口部１０からこの引戸２２の厚さ方向にずれた位置に配置されている。
【００５０】
図４及び図５で示されているように、引戸２２の引戸本体２の上辺部（上面部及び／又はその近傍をいう。以下同じ）２Ａには、上枠部材２３が、引戸本体２の下辺部（下面部及び／又はその近傍をいう。以下同じ）２Ｂには、下枠部材２４が、引戸本体２の左右の側辺部（側面部及び／又はその近傍をいう。以下同じ）のうち、戸先側の側辺部である左辺部２Ｃには、側枠（言い換えると、縦枠）部材２５が、戸尻側の側辺部である右辺部２Ｄには、側枠部材２５と同じ形状、寸法を有する側枠部材２６が、それぞれ取り付けられている。
【００５１】
図４及び図５から分かるように、上枠部材２３は、引戸本体２の幅方向（図４及び図５では左右方向）略全長に渡る長さ寸法を有している。
【００５２】
また、上枠部材２３は、押し出し成形品又は引き抜き成形品で形成されたチャンネル状部材となっている。そして、引戸２２の厚さ方向の縦断面図である図１０に示されているように、引戸本体２の上辺部２Ａに上向きに開口した姿勢で取り付けられている上枠部材２３は、上端部に、引戸２２の厚さ方向に互いに近づく方向に延出した一対のリップ部２３Ａが設けられており、これらのリップ部２３Ａの下方にも、同じ形状、寸法を有する一対のリップ部２３Ｂが設けられている。
【００５３】
なお、図１０に示されているように、それぞれの一対のリップ部２３Ａ，２３Ｂに形成された隙間２３Ｃは、上枠部材２３の長さ方向（言い換えると、引戸２２のスライド方向）全長に渡って形成されている。
【００５４】
このように、本実施形態では、上枠部材２３は、引戸２２の厚さ方向に互いに近づく方向に延出した一対のリップ部が上下方向（言い換えると、引戸２２の長さ方向である高さ方向）に離間して複数（本実施形態では、２個）形成されたリップ部付きチャンネル状部材となっている。
【００５５】
前述したように、引戸本体２の左右の側辺部のうち、戸先側の側辺部である左辺部２Ｃには、側枠部材２５が、戸尻側の側辺部である右辺部２Ｄには、側枠部材２５と同じ形状、寸法を有する側枠部材２６が、それぞれ取り付けられている。
【００５６】
引戸本体２の長さ方向（図４及び図５では上下方向）全長又は略全長に渡る長さ寸法を有している側枠部材２５，２６は、図９に示されているように、第１側枠部材２５Ａ，２６Ａと、第２側枠部材２５Ｂ，２６Ｂとで構成されており、第１側枠部材２５Ａ，２６Ａは、共に同じ形状、寸法を有し、第２側枠部材２５Ｂ，２６Ｂも、共に同じ形状、寸法を有している。
【００５７】
また、図１１に示されているように、引戸本体２の下辺部２Ｂには、この引戸本体２の幅方向（図４及び図５では左右方向）略全長に渡る長さ寸法を有している左右一対の下枠部材２４が取り付けられている。板材の折り曲げにより形成されているこれらの下枠部材２４は、垂下部２４Ａと、この垂下部２４Ａの途中部から引戸本体２の厚さ方向（言い換えると、水平方向）内側に延びる水平部２４Ｂとを有しており、引戸本体２の下辺部２Ｂに、下枠部材２４の水平部２４Ｂが取り付けられている。
【００５８】
図１２には、図１１で示されている下枠部材２４が取り付けられた状態の引戸２２の引戸本体２の下辺部２Ｂを形成する下面部（言い換えると、底面部）２Ｆの拡大図が示されている。
【００５９】
この図１２に示されているように、一対の下枠部材２４のそれぞれの水平部２４Ｂにおける下枠部材２４の長さ方向途中部には、切欠部２４Ｃが下枠部材２４の長さ方向に離間して２個形成されている。そして、引戸本体２の下面部２Ｆにおいて、この下面部２Ｆに取り付けられている一対の下枠部材２４の互いに対向する切欠部２４Ｃにより形成された２個の露出部２Ｇのそれぞれには、引戸２２の戸車（言い換えると、ローラ）２７が取り付けられている。
【００６０】
図１３は、図１１で示されている引戸２２の下面部２Ｆに配置されている戸車２７単独の正面図である。
【００６１】
図１１及びこの図１３で示されているように、戸車２７は、軸受け部材３０で受けられている軸２９を中心に回転自在となっており、この軸受け部材３０は、図１１〜図１３で示されている支持部材であるブラケット２８に、図１２及び図１３で示されているビス等の止着具３３により止着されている。そして、ブラケット２８は、図１１及び図１２で示されているように、引戸本体２の下面部２Ｆに図１２に示すビス等の止着具３４で止着されている。
【００６２】
引戸本体２の下面部２Ｆに配置されている２個の戸車２７は、図４〜図７及び図１１から分かるように、床８に配置されているガイド部材であるガイドレール３２の溝部３２Ａを転動自在に係合している。
【００６３】
また、図４〜図７に示されているように、床８におけるガイドレール３２の両側には、戸当たり部材４１，４２が配置されており、これらの戸当たり部材４１，４２のうち、ガイドレール３２の戸先側である左側に配置されている戸当たり部材４１が、引戸２２の閉じ移動限を規定し、ガイドレール３２の戸尻側である右側に配置されている戸当たり部材４２が、引戸２２の開き移動限を規定するものとなっている。
【００６４】
このように、本実施形態に係る引戸装置２１は、引戸２２が、ガイドレール３２に転動自在に係合した戸車（ローラ）２７が引戸本体２の下部に設けられたものとなっている。
【００６５】
また、本実施形態に係る引戸装置２１は、引戸２２がこの引戸２２の厚さ方向に振れることを防止するための振れ止め手段３５を備えており、以下、この振れ止め手段３５の構造について説明する。
【００６６】
図１４は、図５で示されているドア枠１１及び引戸２２の上部の拡大図である。なお、この図１４において、ドア枠１１の上部全体を実線で示すために、引戸２２の左上部は一部破断して示す。
【００６７】
図１４に示すように、開口部１０の上縁部を形成する上枠１２であって、この上枠１２から引戸２２の厚さ方向にずれた引戸２２の配置側の部分のうち、引戸２２の戸先側の部分（言い換えると、左端部又はその近傍）１２Ａと戸尻側の部分（言い換えると、右端部又はその近傍）１２Ｂには、上下方向の突出量を有する突部３６を有するブラケット３７がそれぞれ取り付けられている（図５及び図１０も参照）。
【００６８】
図１５には、この突部３６を有するブラケット３７単独の側面図が示されており、図１６には、この突部３６を有するブラケット３７単独の底面図が示されている。なお、図１０には、この突部３６を有するブラケット３７の側断面図が示されている。
【００６９】
図１５及び図１６に示されているように、板材の折り曲げにより形成されたブラケット３７は、水平に延びる水平部３７Ａと、この水平部３７Ａから垂下する垂下部３７Ｂと、を有し、水平部３７Ａの下面から、下向きに突出する円柱状又は円筒状の突部３６が設けられている。
【００７０】
そして、図１０に示すように、ブラケット３７の垂下部３７Ｂが、上枠１２から引戸２２の厚さ方向にずれた引戸２２の配置側の部分のうち、引戸２２の戸先側の部分１２Ａ（図１４も参照）に、図示しないビス等の止着具により取り付けられており、これと同様に、上枠１２から引戸２２の厚さ方向にずれた引戸２２の配置側の部分のうち、引戸２２の戸尻側の部分１２Ｂ（図１４参照）にも、ブラケット３７の垂下部３７Ｂが取り付けられている。
【００７１】
前述したように、引戸本体２の上辺部２Ａを形成する上面部２Ｅに上向きに開口した姿勢で取り付けられている上枠部材２３は、図１０に示されているように、上端部には、引戸２２の厚さ方向に互いに近づく方向に延出した一対のリップ部２３Ａが設けられており、これらのリップ部２３Ａの下方にも、同じ形状、寸法を有する一対のリップ部２３Ｂが設けられている。そして、図１０に示されているように、それぞれの一対のリップ部２３Ａ，２３Ｂに形成された隙間２３Ｃは、上枠部材２３の長さ方向（言い換えると、引戸２２のスライド方向）全長に渡って形成されている。
【００７２】
本実施形態では、引戸２２が全閉位置から全開位置まで左右方向にスライド移動する間、引戸２２の上枠部材２３に形成された上下２個の一対のリップ部２３Ａ，２３Ｂの隙間２３Ｃに、上枠１２に取り付けられた左右のブラケット３７にそれぞれ配置された突部３６の少なくとも一方が、スライド自在に嵌合するようになっている。
【００７３】
すなわち、引戸２２が、全閉位置から図４に示す矢印Ａ方向に開き移動した直後は、図４から分かるように、引戸２２の上枠部材２３の隙間２３Ｃに、上枠１２に取り付けられた左右の突部３６（図１４参照）が、スライド自在に嵌合するようになっている。そして、引戸２２が、さらに開き移動してから全開位置に達するまでの間は、引戸２２の上枠部材２３の隙間２３Ｃに、上枠１２に取り付けられた左右の突部３６のうちの右側（言い換えると、戸尻側）の突部３６（図１４参照）が、スライド自在に嵌合するようになっている。このため、上枠部材２３の隙間２３Ｃは、突部３６が内部にスライド自在に嵌合する引戸２２のスライド方向である左右方向への長さを有する溝部となっている。
【００７４】
また、本実施形態では、図１０に示すように、隙間２３Ｃの幅寸法Ｗ１は、突部３６における引戸２２の厚さ方向の幅寸法Ｗ２と略同じとなっており、左右の突部３６の少なくとも一方と隙間２３Ｃは、引戸２２の厚さ方向において常時接触又は略接触した状態となっている。
【００７５】
これにより、本実施形態では、引戸２２が、全閉位置で停止しているとき、全閉位置から全開位置まで開閉移動しているとき、及び全閉位置で停止しているとき、引戸２２がこの引戸２２の厚さ方向に振れることが防止されるようになっている。
【００７６】
また、これにより、本実施形態では、引戸２２が、全閉位置で停止しているとき、全閉位置から全開位置まで開閉移動しているとき、及び全閉位置で停止しているとき、引戸２２がこの引戸２２の厚さ方向に外れることが防止されるようになっている。
【００７７】
すなわち、本実施形態に係る引戸装置２１は、引戸２２がこの引戸２２の厚さ方向に振れることを防止するための振れ止め手段３５を備えているとともに、この振れ止め手段３５は、引戸２２がこの引戸２２の厚さ方向に外れることを防止するための外れ止め手段を兼ねたものとなっている。
【００７８】
本実施形態では、突部３６を有する左右のブラケット３７は、本実施形態に係る振れ止め手段３５を構成する第１部材となっており、リップ部付きチャンネル状部材となっている上枠部材２３は、本実施形態に係る振れ止め手段３５を構成する第２部材となっている。
【００７９】
以上説明した本実施形態では、改修された引戸装置２１の引戸２２のうち、引戸本体２は、前述したように、ヒンジ５，６を中心に回動することにより開口部１０を開閉する開き戸装置であるドア装置１の開き戸であるドア２のうち、ドアノブ３、施錠装置４及びヒンジ５，６を除いた部分をそのまま利用したものとなっている。言い換えると、引戸装置２１の引戸本体２は、ドア装置１のドア２の大部分をそのまま利用したものとなっている。
【００８０】
すなわち、本実施形態に係る改修された引戸装置２１の引戸２２は、この引戸装置２１用に新たに製造、施工されたものを使用したものではなく、既設のドア装置１のドア２の大部分を利用したものとなっている。
【００８１】
このため、本実施形態によると、改修された引戸装置２１の引戸２２に掛かるコストを、この引戸２２をこの引戸装置２１用に新たに製造、施工されたものを使用するものとした場合と比較して、削減化することができるようになる。
【００８２】
このように、本実施形態によると、ドア装置１を引戸装置２１に改修するために掛かるコスト、すなわち、改修コストの削減化が図れるようになる。
【００８３】
なお、本実施形態では、突部３６を有するブラケット３７は、上枠１２に２個配置されるものであったが、３個以上配置するようにしてもよい。
【００８４】
例えば、図４に示すドア枠１１の縦枠１４側（言い換えると、戸尻側（右側））の壁９における引戸２２の配置側（図４では手前側）の表面であって、全開位置に達したときの引戸２２の上枠部材２３における戸尻側の端部（言い換えると、右端部）にも、突部３６を有するブラケット３７を１個配置するようにしてもよい。なお、この場合には、配置した突部３６の高さ位置が、上枠１２に配置されている突部３６と同じ高さとなるようにする。
【００８５】
これによると、引戸２２が全開位置に達したとき、上枠部材２３の一対のリップ部２３Ａ，２３Ｂの隙間２３Ｃに、ブラケット３７に設けられた２個の突部３６が嵌合した状態とすることができる。
【００８６】
なお、本実施形態では、振れ止め手段３５を構成する突部３６を上枠１２に配置するとともに、振れ止め手段３５を構成する溝部である隙間２３Ｃを引戸２２の引戸本体２の上枠部材２３に形成するものであったが、上枠部材２３を取り付けない引戸本体２の上辺部２Ａに、突部３６と同様の形状、構造の突部を複数個設け、上枠１２から、図４に示すドア枠１１の縦枠１４側の壁９における引戸２２の配置側の表面であって、全開位置に達したときの引戸２２の上辺部２Ａにおける戸尻側の端部まで達する長さを有する枠部材（断面形状が、図１０に示す上枠部材２３を上下逆にしたときの断面形状となるもの）を配置するようにしてもよい。
【００８７】
次に、図１〜図４に示されている開き戸装置であるドア装置１を、図５〜図１４に示されている引戸装置２１に改修するための作業手順について説明する。
【００８８】
まず、ドア装置１のヒンジ５，６をドア２及び縦枠１４から取り外す作業工程を実施する。
【００８９】
次に、取り外したドア２を引戸装置２１の引戸２２に改修する作業工程を実施する。すなわち、取り外したドア２からドアノブ３及び施錠装置４を取り外す作業工程と、この後、引戸本体２として利用されるこのドア２に、取っ手３１、上枠部材２３、下枠部材２４、側枠部材２５，２６及び戸車２７を取り付ける作業工程と、を実施する。これにより、引戸２２の製造が完成する。なお、取り外したドア２に汚損箇所が発見されれば、この汚損箇所を修復する作業工程も併せて実施する。
【００９０】
次に、ガイドレール３２を床８に配置する作業工程と、突部３６を有するブラケット３７を上枠１２に取り付ける作業工程と、を実施する。
【００９１】
この後、引戸２２の戸車２７をガイドレール３２の溝部３２Ａに係合させるとともに、引戸２２の上枠部材２３の溝部３２Ａに、上枠１２に取り付けたブラケット３７の突部３６をスライド自在に嵌合させる作業工程を実施する。この結果、引戸２２は、開口部１０からこの引戸２２の厚さ方向にずれた位置に配置されたことになる。
【００９２】
この後、床８におけるガイドレール３２の両側に、戸当たり部材４１，４２を配置する作業工程を実施する。
【００９３】
最後に、引戸２２の開閉動作を試験する作業工程を実施する。
【００９４】
以上で、ドア装置１を引戸装置２１に改修するための作業が完了する。
【００９５】
なお、本実施形態では、ガイドレール３２と戸当たり部材４１，４２は、床８に接着テープで固定するものとなっており、これにより、固定作業は、床８を傷つけることなく容易に行うことができる。
【００９６】
以上説明した本実施形態に係る引戸装置２１の改修方法は、この引戸装置２１用の引戸２２を工場で新たに製造、施工する作業工程と、この製造、施工された引戸２２を工場から現場まで搬入する作業工程は不要となり、改修作業の全部又は大部分は現場で行うことができるようになる。
【００９７】
このため、本実施形態によると、引戸装置２１の改修作業に掛かるコストを、引戸２２をこの引戸装置２１用に新たに製造、施工されたものを使用するものとした場合と比較して、削減化することができるようになる。
【００９８】
このように、本実施形態によると、ドア装置１の引戸装置２１への改修作業に掛かるコスト、すなわち、改修コストの削減化が図れるようになる。
【００９９】
また、本実施形態によると、上述したように、改修作業の全部又は大部分を現場で行うことができるため、改修作業の効率化を図ることができるようになる。
【０１００】
なお、取り外したドア２からドアノブ３及び施錠装置４を取り外す前述した作業工程と、取り外したドア２を引戸装置２１の引戸２２に改修する作業工程、すなわち、引戸本体２として利用される取り外したドア２に、取っ手３１、上枠部材２３、下枠部材２４、側枠部材２５，２６及び戸車２７を取り付ける作業工程は、改修現場で実施せずに、工場にて実施するようにしてもよい。
【０１０１】
なお、本実施形態では、引戸装置２１の引戸２２の引戸本体２は、改修作業を行う前から開口部１０を開閉していたドア装置１のドア２を利用したものであったが、開口部１０とは別の開口部を開閉していたドア装置のドアを利用するものでもよい。
【０１０２】
なお、本実施形態では、改修された引戸装置２１は、引戸２２が、ガイドレール３２に転動自在に係合した戸車２７が引戸本体２の下部に設けられたものとなっていたが、改修された引戸装置は、引戸が、ガイド部材であるガイドレールに転動自在に係合したローラが上部に設けられていて、このローラよりも下部の引戸本体がガイドレールから吊り下げられた上吊式引戸装置としてもよい。
【０１０３】
また、本実施形態では、改修された引戸装置２１の引戸２２は、開口部１０からこの引戸２２の厚さ方向にずれた位置に配置されたものとなっていたが、引戸２２は、壁９に形成した戸袋に収納されるものとしてもよい。
【０１０４】
なお、本実施形態では、引戸装置２１は、改修作業を行う前から開口部１０を開閉していたドア装置１のドア２が開く方向側に設置されており、この引戸装置２１の引戸２２の戸先側は、ドア２の戸先側（言い換えると、ヒンジ５，６が設けられている側とは反対の側であるドアノブ３が設けられている側）であったが、引戸装置２１の設置箇所は任意であり、この引戸装置２１の引戸２２の戸先側も任意なものでよい。すなわち、引戸装置２１は、改修作業を行う前から開口部１０を開閉していたドア装置１のドア２が開く方向側とは反対の側に設置するようにしてもよい。また、この引戸装置２１の引戸２２の戸先側は、ドア２の戸尻側（言い換えると、ヒンジ５，６が設けられている側）としてもよい。
【０１０５】
なお、引戸装置２１の引戸２２が全閉位置に達したときには、戸当たり部材７を含めた開口部１０の全部が引戸２２により覆われることが好ましいため、本実施形態では、戸当たり部材４１，４２は、左右の側枠１３，１４とオーバーラップする（言い換えると、引戸２２の厚さ方向に重なる）位置（又は開口部１０からこの開口部１０の幅方向外側にさらに離れた位置）に設けられている。また、本実施形態では、引戸２２の左右方向の寸法（言い換えると、幅寸法）を、改修作業を行う前から開口部１０を開閉していたドア装置１のドア２よりも大きいものとするために、引戸本体２の左右の側辺部には、側枠部材２５，２６が取り付けられている。
【０１０６】
なお、本実施形態において、開口部１０を広くするために、戸当たり部材７は、改修作業の際に取り外すようにしてもよい。
【産業上の利用可能性】
【０１０７】
本発明は、壁に形成された開口部を開閉するための開き戸装置を引戸装置に改修する場合等に利用することができる。
【符号の説明】
【０１０８】
１  開き戸装置であるドア装置
２  引戸装置の引戸の引戸本体として利用される開き戸装置の開き戸であるドア
２Ａ  引戸の引戸本体の上辺部
５，６  ヒンジ
１０  開口部
１２  開口部の上縁部を形成する上枠
１２Ａ  上枠であってこの上枠から引戸の厚さ方向にずれた引戸の配置側の部分のうち、引戸の戸先側の部分
１２Ｂ  上枠であってこの上枠から引戸の厚さ方向にずれた引戸の配置側の部分のうち、引戸の戸尻側の部分
２１  改修された後の引戸装置
２２  引戸
２３  上枠部材
２３Ａ，２３Ｂ  上枠部材の一対のリップ部
２３Ｃ  振れ止め手段を構成する溝部である一対のリップ部の隙間
３５  外れ止め手段を兼ねる振れ止め手段
３６  振れ止め手段を構成する突部
Ｗ１  一対のリップ部の隙間の幅寸法
Ｗ２  突部における引戸の厚さ方向の幅寸法
【図１】
0006585914.tif 000002
【図２】
0006585914.tif 000003
【図３】
0006585914.tif 000004
【図４】
0006585914.tif 000005
【図５】
0006585914.tif 000006
【図６】
0006585914.tif 000007
【図７】
0006585914.tif 000008
【図８】
0006585914.tif 000009
【図９】
0006585914.tif 000010
【図１０】
0006585914.tif 000011
【図１１】
0006585914.tif 000012
【図１２】
0006585914.tif 000013
【図１３】
0006585914.tif 000014
【図１４】
0006585914.tif 000015
【図１５】
0006585914.tif 000016
【図１６】
0006585914.tif 000017